(57)【要約】【課題】エアゾール容器内の動物忌避剤が減少した状態でも安定させることができるようにする。【解決手段】エアゾール容器１０は、出口側が下に位置するように配置される。エアゾール容器１０の下側には、動物忌避剤を噴射させる噴射状態と、動物忌避剤を噴射させない非噴射状態とに切り替えるための切替装置３１が取り付けられている。【選択図】図３
2015070794.tif 000002
【特許請求の範囲】
【請求項１】
エアゾール容器に収容した動物忌避剤を忌避対象動物に噴射するように構成された動物忌避装置において、
上記エアゾール容器は、出口側が下に位置するように配置され、
上記エアゾール容器の下側には、該エアゾール容器から動物忌避剤を噴射させる噴射状態と、動物忌避剤を噴射させない非噴射状態とに切り替えるための切替装置が取り付けられることを特徴とする動物忌避装置。
【請求項２】
請求項１に記載の動物忌避装置において、
動物が所定距離内に存在するか否かを検知するセンサーと、
上記センサーにより動物が所定距離内に存在することが検知された場合には上記切替装置を噴射状態にする一方、動物が所定距離内に存在しない場合には上記切替装置を非噴射状態にする制御装置とを備え、
上記センサー及び上記制御装置は上記エアゾール容器の下側に取り付けられることを特徴とする動物忌避装置。
【請求項３】
請求項１または２に記載の動物忌避装置において、
上記動物忌避装置の上記切替装置よりも下側には脚部が設けられていることを特徴とする動物忌避装置。
【発明の詳細な説明】
【技術分野】
【０００１】
本発明は、例えば猫や犬等の動物に対して用いられる動物忌避装置に関するものである。
【背景技術】
【０００２】
従来より、この種の動物忌避装置としては、動物が所定距離まで接近したときにエアゾール容器に収容された薬剤を噴射するように構成されたものが知られている（例えば、特許文献１、２参照）。特許文献１では、本体ケースの内部にエアゾール容器を格納している。本体ケースの外面には、焦電型赤外線センサーが設けられている。本体ケースの内部には、エアゾール容器のノズルを操作するアクチュエータや電源、制御基板が設けられている。焦電型赤外線センサーによって動物が所定距離まで接近したことを検知すると、アクチュエータを作動させてエアゾール容器のノズルを操作して薬剤を噴射することによって動物に忌避効果を与えるようにしている。
【０００３】
特許文献２の動物忌避装置も同様に構成されており、本体ケース内に格納されたエアゾール容器から薬剤を噴射することができるようになっている。
【先行技術文献】
【特許文献】
【０００４】
【特許文献１】特開平８−２１４７６０号公報
【特許文献２】特開２００１−２１１８０８号公報
【発明の概要】
【発明が解決しようとする課題】
【０００５】
しかしながら、特許文献１、２では、エアゾール容器のノズルが上に位置するように配置されているので、ノズルを操作するアクチュータも上に配置されることになる。
【０００６】
ところで、動物忌避装置を使用することによってエアゾール容器内の薬剤が減っていく。特許文献１、２の動物忌避装置では重量物であるアクチュエータが上に配置されているので、エアゾール容器内の薬剤が減少するに従って動物忌避装置の重心が次第に高くなっていく。
【０００７】
動物忌避装置は屋外で使用される場合が殆どであるため、重心が高くなると不安定になり、強風等の影響によって倒れやすくなることが考えられる。
【０００８】
本発明は、かかる点に鑑みてなされたものであり、その目的とするところは、エアゾール容器内の動物忌避剤が減少した状態でも安定させることができるようにすることにある。
【課題を解決するための手段】
【０００９】
上記目的を達成するために、本発明では、エアゾール容器を一般の使用形態とは上下反対にし、噴射状態と非噴射状態とを切り替える切替装置を下に配置するようにした。
【００１０】
第１の発明は、エアゾール容器に収容した動物忌避剤を忌避対象動物に噴射するように構成された動物忌避装置において、
上記エアゾール容器は、出口側が下に位置するように配置され、
上記エアゾール容器の下側には、該エアゾール容器から動物忌避剤を噴射させる噴射状態と、動物忌避剤を噴射させない非噴射状態とに切り替えるための切替装置が取り付けられることを特徴とする。
【００１１】
この構成によれば、エアゾール容器の下側に切替装置が取り付けられていて重心高が低くなっているので、エアゾール容器内の動物忌避剤が減少した状態でも動物忌避装置が安定する。
【００１２】
第２の発明は、第１の発明において、
動物が所定距離内に存在するか否かを検知するセンサーと、
上記センサーにより動物が所定距離内に存在することが検知された場合には上記切替装置を噴射状態にする一方、動物が所定距離内に存在しない場合には上記切替装置を非噴射状態にする制御装置とを備え、
上記センサー及び上記制御装置は上記エアゾール容器の下側に取り付けられることを特徴とする。
【００１３】
この構成によれば、センサー及び制御装置もエアゾール容器の下側に取り付けることで重心高をより一層低くすることが可能になる。
【００１４】
第３の発明は、第１または２の発明において、
上記動物忌避装置の上記切替装置よりも下側には脚部が設けられていることを特徴とする。
【００１５】
この構成によれば、脚部によって動物忌避装置をより一層安定させることが可能になる。
【発明の効果】
【００１６】
第１の発明によれば、出口側が下になるようにエアゾール容器を配置し、エアゾール容器の下側にエアゾール容器の噴射状態を切り替える切替装置を取り付けるようにしたので、エアゾール容器内の動物忌避剤が減少した状態でも安定させることができる。
【００１７】
第２の発明によれば、センサー及び制御装置をエアゾール容器の下側に取り付けることで重心をより一層低くすることができる。
【００１８】
第３の発明によれば、脚部を設けたことで動物忌避装置をより一層安定させることができる。
【図面の簡単な説明】
【００１９】
【図１】実施形態に係る動物忌避装置を左側面図である。
【図２】動物忌避装置の正面図である。
【図３】図２におけるIII−III線断面図である。
【図４】動物忌避装置の平面図である。
【図５】動物忌避装置のブロック図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係る動物忌避装置１を示すものである。この動物忌避装置１は、屋外の地面に置いて使用されるものであり、例えば猫や犬等の動物が一定の範囲に近づかないようにするためのものである。
【００２２】
図２及び図３にも示すように、動物忌避装置１は、エアゾール容器１０と、脚部材２０と、噴射部３０とを備えている。エアゾール容器１０は、例えばアルミニウム合金製の耐圧容器からなるものを用いることができる。アルミニウム合金製とすることで、屋外でエアゾール容器１０を露出状態で使用する際に雨等による錆の発生はなく、耐候性が良好になる。尚、エアゾール容器１０としては、アルミニウム合金製以外にも、ブリキ缶を使用してもよいが、その場合には防錆処理を施すのが好ましい。また、エアゾール容器１０を筒状のカバー部材で覆うようにしてもよい。
【００２３】
エアゾール容器１０は、上下方向に延びる円筒形状とされており、例えば高さは１０ｃｍ以上に設定されている。エアゾール容器１０は、一般的な使用形態では出口側である弁機構１１（図３に示す）側が上に位置するようにして使用するが、この実施形態では、上下反転させて弁機構１１側が下に位置するようにして使用する。
【００２４】
すなわち、使用状態では、エアゾール容器１０の下部には、弁機構１１が設けられることになる。この弁機構１１は、従来周知のものなので詳細な説明は省略するが、上下方向に進退動するステム１１ａとステム１１ａを進出方向（下方）に付勢するバネ（図示せず）とを有しており、ステム１１ａが進出位置にあるときには、弁機構１１が閉状態となる一方、ステム１１ａがバネの付勢力に抗して後退位置にあるときには、弁機構１１が開状態となる。
【００２５】
また、エアゾール容器１０は金属材をかしめて接合することによって形成されており、下部に形成されるかしめ部は、エアゾール容器１０の径方向に突出して周方向に環状に延びる突条部１２となっている。
【００２６】
上記エアゾール容器１０には、動物忌避剤として、例えば噴射剤が収容されている。その他、芳香剤、エタノール等のうち、少なくとも１種以上が収容されていてもよい。噴射剤は、例えばジメチルエーテルやＬＰガス等を使用することができ、噴射することで動物に聞こえる音が発生するとともに、動物が感じることのできる風や雰囲気圧力の変化を生じさせることができ、これによって動物が驚いたり、嫌がったりして忌避効果が得られる。芳香剤の場合は、動物が嫌いな香りを放つものが好ましい。また、エタノールを噴射することで、動物に付着した際に気化熱による冷却効果で動物に違和感を感じさせることができ、このことで忌避効果が得られる場合がある。
【００２７】
また、エアゾール容器１０には、噴射部３０の本体ケース５０と着脱可能に接続するための接続部材２５が設けられている。接続部材２５は、エアゾール容器１０から取り外す際にはドライバー等の工具が必要で簡単には取り外せないようになっている一方、噴射部３０に対しては使用者が工具を使用することなく手で簡単に取り外すことができるようになっている。つまり、エアゾール容器１０から接続部材２５を取り外す際に要する取り外し力は、接続部材２５を本体ケース５０から取り外す際に要する取り外し力よりも大きく設定されている。取り外し力は、接続部材２５や本体ケース５０の形状等によって任意に設定できる。
【００２８】
そして、エアゾール容器１０に接続部材２５を取り付けた状態で、この形状の接続部材２５のみが噴射部３０の本体ケース５０に着脱できるようにしている。このため、例えば接続部材２５が取り付けられていないエアゾール容器１０や、別構造、別形状の接続部材が取り付けられているエアゾール容器１０を噴射部３０の本体ケース５０に取り付けることはできないので、使用目的の異なるエアゾール容器や異なる忌避剤が収容されたエアゾール容器が誤って噴射部３０の本体ケース５０に取り付けられることはなく、使用時の安全性を高めることができる。
【００２９】
具体的には、接続部材２５は、エアゾール容器１０の外周面の下部を覆うように形成された筒状部２６と、筒状部２６の下端開口の周縁部から径方向内方へ延びる複数の棒状部２７と、棒状部２７の内端部に一体に設けられた略円形の下端板部２８とを備えており、例えば樹脂材の一体成形品となっている。筒状部２６の上下方向中間部には段差２６ａが形成されており、この段差２６ａよりも下側は上側に比べて小径とされて本体ケース５０の上部に挿入されるようになっている。筒状部２６の段差２６ａよりも上側の内径は、エアゾール容器１０の上下方向中間部分の外径と大略等しく設定されており、筒状部２６の上部はエアゾール容器１０の外周面に接触して支持されるようになっている。
【００３０】
筒状部２６の小径部分の外周面には、図示しないが、２つの係合突起２６ｂ，２６ｂが周方向に間隔をあけて設けられている。これら係合突起２６ｂ，２６ｂは、詳細は後述するが噴射部３０の本体ケース５０に係合するようになっている。
【００３１】
接続部材２５の下端板部２８の上面には、エアゾール容器１０の下端部の突条部１２が嵌まる凹部２８ａが形成されている。凹部２８ａの周縁部には、エアゾール容器１０の突条部１２に係合する２つの係合爪部（図示せず）が互いに周方向に離れた部位から上方へ突出するように形成されている。
【００３２】
下端板部２８の中心部には、エアゾール容器１０のステム１１ａが上方から挿通するようになっている。
【００３３】
脚部材２０は、例えば樹脂成形品とすることができる。脚部材２０は、後述する本体ケース５０が取り付けられる円筒状の取付部２２と、図４に示すように取付部２２の外周面から径方向外方へ突出する４つの脚２３，２３，…とを備えている。尚、脚２３の数は４つに限られるものではなく、任意の数に設定できる。
【００３４】
４つの脚２３，２３，…は、取付部２２の周方向に略等間隔に配置されている。各脚２３は、平面視でエアゾール容器１０から外方へ突出するように形成されており、これにより、地面等に置いた状態で動物忌避装置１が転倒しにくくなっている。また、各脚２３は、取付部２２よりも下方へ延びており、地面等に置いた状態で噴射部３０を地面から上方へ離間させることができるようになっている。
【００３５】
図３に示すように、噴射部３０は、ソレノイドバルブ（切替装置）３１と、ノズル３２と、焦電型赤外線センサー３３と、制御装置３４と、電池３５と、これらを収容する本体ケース５０とを有している。本体ケース５０は、エアゾール容器１０を収容するものではないので、従来例の本体ケースに比べて小型のケースとなっている。
【００３６】
本体ケース５０は、例えば樹脂材で構成された複数の部材を組み合わせて構成されている。本体ケース５０の上部には、エアゾール容器１０の接続部材２５の下部が挿入される円筒部材（筒状部材）４９が設けられている。円筒部材４９には接続部材２５の係合突起２６ｂ、２６ｂが嵌入して係合する係合孔４９ａ、４９ａが形成されている。円筒部材４９の形状及び係合孔４９ａ、４９ａの形状は、接続部材２５のみが接続可能な専用の形状であるので、例えば接続部材２５を有していないエアゾール容器や、殺虫剤等の別の薬剤を収容したエアゾール容器を本体ケース５０に接続することができないようになっている。
【００３７】
また、本体ケース５０には、第１リミットスイッチＬ１及び第２リミットスイッチＬ２（図５に示す）が設けられている。これら第１リミットスイッチＬ１及び第２リミットスイッチＬ２は、エアゾール容器１０を本体ケース５０に取り付けた状態で、エアゾール容器１０の接続部材２５の所定部位が接触することによって開閉操作されるものである。
【００３８】
ソレノイドバルブ３１は、エアゾール容器１０のステム１１ａに接続される通路部材４０と、弁体４１と、可動子４２と、可動子４２を動かすためのコイル４３と、可動子４２を付勢するバネ４４と、可動子４２、コイル４３及びバネ４４を収容するソレノイドケース４５とを備えている。
【００３９】
通路部材４０は、本体ケース５０の中央部近傍に固定されており、本体ケース５０に対して動かないようになっている。通路部材４０には、上面に開口して下方へ延びる上流側通路４０ａと、ノズル３２に連通する下流側通路４０ｂとが形成されている。上流側通路４０ａ及び下流側通路４０ｂは、動物忌避剤をエアゾール容器１０から噴射させるための噴射通路である。
【００４０】
通路部材４０の上流側通路４０ａの上流端（上端部）には、エアゾール容器１０を噴射部３０に取り付けた状態でステム１１ａが挿入されるようになっている。この状態で、ステム１１ａは通路部材４０の上流側通路４０ａの内面によって後退方向に押されてエアゾール容器１０の弁機構１１が開状態となるようになっている。また、ステム１１ａの内部と通路部材４０の上流側通路４０ａとは気密に接続される。
【００４１】
弁体４１は、通路部材４０の内部に配設されており、上流側通路４０ａの下流端を閉じるためのものであり、例えばゴム等の弾性材で構成することができる。
【００４２】
ソレノイドケース４５は通路部材４０の下部に気密状に固定されている。このソレノイドケース４５に収容される可動子４２は、磁性体からなるものであり、上下方向に延びる柱状をなしている。可動子４２の上端部には上記弁体４１が固定されている。可動子４２は、ソレノイドケース４５内において上下動可能に配設されている。
【００４３】
コイル４３は、可動子４２の外周面を囲む筒状をなしている。このコイル４３の内部において可動子４２が上下動するようになっている。コイル４３は、ソレノイドケース４５の内面に固定されている。コイル４３には、制御装置３４から電圧が印加されるようになっている。
【００４４】
バネ４４は、コイル４３の内部において可動子４２の下方に配設されている。バネ４４は、可動子４２を上方へ付勢することにより、弁体４１を通路部材４０の上流側通路４０ａの下流端に押し付けて該下流端を閉状態にする荷重を加えるためのものである。
【００４５】
コイル４３に制御装置３４から電圧が印加されない状態では、図３に示すように、可動子４２がバネ４４の付勢力によって、弁体４１を通路部材４０の上流側通路４０ａの下流端に押し付けて該下流端を閉状態にする。これが非噴射状態である。このとき、エアゾール容器１０の動物忌避剤が通路部材４０の下流側通路４０ｂに流入しないように、バネ４４による付勢力が設定されている。
【００４６】
一方、コイル４３に制御装置３４から電圧が印加されると、可動子４２には下向きの磁力が働くようになっている。これにより、可動子４２はバネ４４の付勢力に抗して下降して弁体４１を通路部材４０の上流側通路４０ａの下流端から離し、該下流端を開状態にする。これが噴射状態である。つまり、コイル４３に印加する電圧は、バネ４４による付勢力に抗して可動子４２を下降させることができるように設定されている。
【００４７】
ノズル３２は、略水平方向に延びている。ノズル３２の上流端は通路部材４０に固定されて下流側通路４０ｂに連通している。ノズル３２の下流端開口（噴射口）３２ａは本体ケース５０の前面部の上部において外部に臨むように固定されている。本体ケース５０の前面部とは、ノズル３２の下流端開口３２ａが位置する部分である。ノズル３２の形状としては、図示したものに限られず、短いものであってもよいし、長いものであってもよい。動物忌避剤の噴霧範囲は、ノズル３２の構造によって設定することができ、上下方向よりも水平方向に広い方が好ましい。
【００４８】
本体ケース５０の内部における前面側には、ノズル３２よりも下方に回路基板４６が設けられている。回路基板４６は上下方向に延びており、下部には電源のＯＮ（入）、ＯＦＦ（切）を切り替えるための電源スイッチ４６ａが設けられている。回路基板４６の電源スイッチ４６ａの上方には、ＬＥＤランプ４６ｂが設けられている。さらに、回路基板４６のＬＥＤランプ４６ｂの上方には、制御装置３４が設けられ、この制御装置３４の上方には、赤外線センサー３３が設けられている。赤外線センサー３３の地面からの高さは、平均的な猫の体高と同程度になるように設定されている。これにより、赤外線センサー３３による猫の検知精度が向上する。
【００４９】
本体ケース５０の前面部の下部には、電源スイッチ４６ａを操作するためのメンブレンシートで構成された操作ボタン５０ａが設けられている。操作ボタン５０ａは、ＬＥＤランプ４６ｂの光を透過するように構成されている。
【００５０】
ＬＥＤランプ４６ｂは、電源がＯＮの状態で点灯し、ＯＦＦの状態で消灯するものであり、制御装置３４の作動及び非作動を表示するための作動状態表示灯である。ＬＥＤランプ４６ｂと、ノズル３２の下流端開口３２ａとは、本体ケース５０の前面部、即ち、エアゾール容器１０の周方向について同一位置に配置されている。
【００５１】
赤外線センサー３３は、従来周知のものであるので、詳細な説明は省略するが、赤外線を発するもの（動物）が所定距離内に存在するか否かを検知することができるセンサーである。赤外線センサー３３は、本体ケース５０内においてエアゾール容器１０の真下にくるように配置されている。赤外線センサー３３による動物の検知範囲は、例えば赤外線センサー３３から２ｍ以上５ｍ以下の範囲に設定することができるが、これに限られるものではない。赤外線センサー３３の性能によって検知対象動物の大きさは異なるが、この実施形態では、例えば猫や小型の犬を検知できる性能を有している。
【００５２】
赤外線センサー３３は、本体ケース５０に設けられた赤外線透過性を有するカバー５０ｂにより覆われている。赤外線センサー３３の検知範囲は、赤外線センサー３３の中心から上下方向、左右方向に広がっている。この実施形態では、地面を歩行する動物を忌避対象動物としているので、赤外線センサー３３の検知範囲のうち、上方へ広がる部分をカットしている。すなわち、本体ケース５０における赤外線センサー３３の配設部位には、正面視で、赤外線センサー３３の上側を覆うように下方へ延びる検知範囲設定部としての遮断部５０ｃが設けられている。これにより、例えば鳥等が動物忌避装置１の近傍を飛んでいても、それを忌避対象動物として検知することはない。また、例えば熱を持った物（日光下の洗濯物等）が赤外線センサー３３の上方で動いた場合にも、それを忌避対象動物として検知することはないので、誤検知を防止できる。
【００５３】
電池３５は、本体ケース５０の内部において背面側に収容されている。この電池３５は、エアゾール容器１０の真下に配置されている。電池３５は、回路基板４６に接続されている。電池３５は、本体ケース５０に設けられた蓋５０ｅを開閉することによって交換できるようになっている。
【００５４】
制御装置３４は、周知のマイクロコンピュータ等で構成されており、赤外線センサー３３からの入力信号及び電源スイッチ４６ａの操作状態を検出して、ソレノイドバルブ３１及びＬＥＤランプ４６ｂを制御するように構成されている。制御装置３４は、電源スイッチ４６ａの操作状態に基づいて電源がＯＮにされたと判定すると、赤外線センサー３３及びＬＥＤランプ４６ｂに電力供給を開始する。ＬＥＤランプ４６ｂの光は操作ボタン５０ａを透過するので、動物忌避装置１に電源が入っているか否かを離れた所から把握できる。また、ＬＥＤランプ４６ｂと噴射口３２ａとが本体ケース５０の前面部に位置しているので、ＬＥＤランプ４６ｂの光によって噴射口３２ａのおおよその位置を把握することもできる。同様に赤外線センサー３３の位置も把握できる。
【００５５】
電源がＯＮの状態で、赤外線センサー３３の検知範囲に動物が入ってくると、制御装置３４は、赤外線センサー３３により動物が所定距離内に存在することが検知されたと判定し、この場合にはソレノイドバルブ３１のコイル４３に電圧を印加してソレノイドバルブ３１を噴射状態にする。電圧の印加時間は、例えば０．５秒以上２秒以下に設定することができるが、この範囲に限られるものではない。また、所定時間内にソレノイドバルブ３１を複数回開閉してもよい。
【００５６】
一方、赤外線センサー３３によって動物が検知されない場合は、制御装置３４は所定距離内に動物が存在しないと判定し、この場合にはソレノイドバルブ３１のコイル４３に電圧を印加せずに、ソレノイドバルブ３１を非噴射状態のままにしておく。
【００５７】
ソレノイドバルブ３１を噴射状態にすると、エアゾール容器１０内の動物忌避剤がステム１１ａから噴射部３０の通路部材４０の上流側通路４０ａを経て下流側通路４０ｂに流入する。下流側通路４０ｂに流入した動物忌避剤は、ノズル３２に流入し、下流端開口３２ａから噴射される。このときの音や風等によって動物が忌避行動を示すので、忌避効果が得られる。
【００５８】
エアゾール容器１０の出口側を下にしているので、動物忌避装置１の使用によって動物忌避剤が減っていくと、動物忌避装置１の上が軽くなっていく。このとき、本実施形態では、ソレノイドバルブ３１や、センサー３３、制御装置３４、電池３５等を本体ケース５０に収容した状態でエアゾール容器１０の下側に取り付けているので、動物忌避装置１の重心高が低くなっており、安定させることができる。
【００５９】
動物忌避剤の噴射範囲は、ノズル３２の構造やエアゾール容器１０に収容する噴射剤等の成分によって変更することができる。この実施形態では、赤外線センサー３３による動物の検知範囲と略等しい範囲に動物忌避剤を噴射するようにしている。
【００６０】
また、制御装置３４は、噴射回数をカウントするためのカウンタを有しているとともに、第１リミットスイッチＬ１及び第２リミットスイッチＬ２の動作状態に基づいてどの容量のエアゾール容器１０取り付けられているかを判定する判定部も有している。
【００６１】
すなわち、エアゾール容器１０としては、内容量の異なる複数種のものを用意する場合がある。例えば、小容量タイプのエアゾール容器１０、中容量タイプのエアゾール容器１０、大容量タイプのエアゾール容器１０の３種類を用意した場合、小容量タイプのエアゾール容器１０の接続部材２５では、第１リミットスイッチＬ１を閉、第２リミットスイッチＬ２を開にするように形状設定を行い、また、中容量タイプのエアゾール容器１０の接続部材２５では、第１リミットスイッチＬ１を開、第２リミットスイッチＬ２を閉にするように接続部材２５の形状設定を行い、また、大容量タイプのエアゾール容器１０の接続部材２５では、第１リミットスイッチＬ１を閉、第２リミットスイッチＬ２を閉にするように接続部材２５の形状設定を行う。接続部材２５の形状の具体例としては、例えば、突起や窪み等があり、第１リミットスイッチＬ１及び第２リミットスイッチＬ２を開閉操作できる形状であればよい。尚、エアゾール容器１０が取り外されている状態では、第１リミットスイッチＬ１及び第２リミットスイッチＬ２を共に開とする。
【００６２】
制御装置３４は、接続部材２５が本体ケース５０に接続された後、第１リミットスイッチＬ１が開、第２リミットスイッチＬ２が閉であることを検出した場合には、小容量タイプのエアゾール容器１０が取り付けられていると判定する。また、第１リミットスイッチＬ１が閉、第２リミットスイッチＬ２が開であることを検出した場合には、中容量タイプのエアゾール容器１０が取り付けられていると判定する。また、第１リミットスイッチＬ１が閉、第２リミットスイッチＬ２が閉であることを検出した場合には、大容量タイプのエアゾール容器１０が取り付けられていると判定する。
【００６３】
そして、制御装置３４は、カウンタでカウントした噴射回数が、取り付けられているエアゾール容器１０の規定噴射回数に達したと判定した場合には、ＬＥＤランプ４６ｂを点滅させてエアゾール容器１０の残量が無くなったことを報知する。尚、エアゾール容器１０の残量が無くなったことを報知する報知手段としては、ＬＥＤランプ４６ｂに限られるものではなく、ブザー等の音を発生するものや別のランプ等であってもよい。また、制御装置３４は、第１リミットスイッチＬ１及び第２リミットスイッチＬ２が共に開であることを検出すると、噴射回数をリセットする。
【００６４】
エアゾール容器１０の動物忌避剤が無くなった場合には、エアゾール容器１０を噴射部３０の本体ケース５０から取り外す。このとき、エアゾール容器１０を手で持って引き抜くようにすると、接続部材２５の係合突起２６ｂ，２６ｂが円筒部材４９の係合孔４９ａ、４９ａから離脱する。上述のように接続部材２５がエアゾール容器１０に強固に取り付けられているのでエアゾール容器１０から外れることはない。尚、脚部材２０からエアゾール容器１０を抜いて脚部材２０は再利用する。
【００６５】
新品のエアゾール容器１０には、接続部材２５が予め取り付けられている。従って、接続部材２５を本体ケース５０の円筒部材４９に挿入して接続部材２５の係合突起２６ｂ，２６ｂを円筒部材４９の係合孔４９ａ、４９ａ係合させることで新品のエアゾール容器１０を噴射部３０に取り付けることができる。この状態で、新品のエアゾール容器１０のステム１１ａが後退して弁機構１１が開状態となる。また、新品のエアゾール容器１０に脚部材２０を取り付ける。
【００６６】
以上説明したように、この実施形態に係る動物忌避装置１によれば、エアゾール容器１０の出口側を下にし、エアゾール容器１０の下側に、動物忌避剤を噴射させる噴射状態と、動物忌避剤を噴射させない非噴射状態とに切り替えるためのソレノイドバルブ３１を取り付けているので、動物忌避装置１の重心高を低くすることができる。これにより、エアゾール容器１０内の動物忌避剤が減少した状態でも動物忌避装置１を安定させることができる。
【００６７】
また、センサー３３及び制御装置３４をエアゾール容器１０の下側に取り付けることで重心をより一層低くすることができる。
【００６８】
尚、上記実施形態では、動物が所定距離内に存在するか否かを検知するセンサーとして赤外線センサー３３を使用しているが、これに限られるものではなく、各種センサーを使用することができる。
【００６９】
また、上記実施形態では、エアゾール容器１０から動物忌避剤を噴射させる噴射状態と、動物忌避剤を噴射させない非噴射状態とに切り替えるための切替装置としてソレノイドバルブ３１を用いているが、これに限らず、例えばカム機構を利用してエアゾール容器１０のステム１１ａを押し下げるように構成されたものであってもよい。
【００７０】
また、上記実施形態では、電源スイッチ４６ａを本体ケース５０の前面部に設けているが、これに限らず、例えば、本体ケース５０の上面部に設けてもよい。また、電源スイッチ４６ａを本体ケース５０の側面部において赤外線センサー３３よりも上方に設けてもよい。
【００７１】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７２】
以上説明したように、本発明に係る動物忌避装置は、例えば屋外で猫や犬等の動物を追い払う際に用いることができる。
【符号の説明】
【００７３】
１          動物忌避装置
１０        エアゾール容器
２０        脚部材
３１        ソレノイドバルブ（切替装置）
３２        ノズル
３３        赤外線センサー
３４        制御装置
４６ａ      電源スイッチ
４６ｂ      ＬＥＤランプ
５０        本体ケース
【図１】
2015070794.tif 000003
【図２】
2015070794.tif 000004
【図３】
2015070794.tif 000005
【図４】
2015070794.tif 000006
【図５】
2015070794.tif 000007